(57)【要約】【課題】簡単な構造で横流し経路を突き止めることができ、あるいはラベルの表面を保護することができ、しかも安価な多層ラベルを提供する。【解決手段】透視可能または透視不可能な素材の表面に、図柄が描かれたラベル印刷層を有し、透視不可能にしたラベル本体１２、あるいは、透視可能な素材の表面に図柄が描かれたラベル印刷層を有し、またはラベル印刷層を有さないラベル本体１２があり、ラベル本体１２の裏面に粘着剤２２が設けられ、ラベル本体１２の裏面に積層された剥離シート２４と、剥離シート切断線２６で区切られた小剥離シート部２８と、小剥離シート部２８に設けられ、ラベル本体１２からは視認不可能、または可能な情報が設けられた印刷層３０を備える。【選択図】図２
2006251292.tif 000002
【特許請求の範囲】
【請求項１】
表面に図柄が描かれた印刷層を有し裏面に粘着剤が設けられたラベル本体と、前記ラベル本体の裏面に積層された剥離シートと、前記剥離シートを貫通した剥離シート切断線で区切られ前記ラベル本体より小さい小剥離シート部と、小剥離シート部には印刷層あるいは固有のナンバー等の印字部が設けられていることを特徴とした多層ラベル。
【請求項２】
前記ラベル本体表面は透視可能な素材に印刷層を設けて透視不可能にするか、または透視不可能な素材でできており、前記ラベル本体表面からは前記小剥離シート部および前記小剥離シート部に施された印刷層あるいはナンバリング等の印字部が視認不可能であることを特徴とした多層ラベル。
【請求項３】
前記ラベル本体表面は透視可能な素材でできており、印刷層が設けられているか、もしくは印刷層が設けられておらず、前記小剥離シート部に施された印刷層あるいはナンバリング等の印字部が視認可能なことを特徴とした多層ラベル。
【発明の詳細な説明】
【技術分野】
【０００１】
本発明は、ラベルのラベル本体と剥離シート部を利用し、ラベルに付加機能を付けることができる多層ラベルに関する。
【背景技術】
【０００２】
従来、医薬品、健康食品、化粧品などの容器または包装には、商品名が印刷され裏面に粘着剤が塗布されたラベルが貼り付けられている。またパソコンや電化製品などには、固有のナンバーを印字したラベルが貼り付けられている。
【０００３】
上記、医薬品、健康食品、化粧品などは、固有のナンバーやロット番号などが容器に直接印字されたり、貼着されているラベルに印字されたりしている。例えば、特定の販売店や美容院などでのみ扱っているシャンプーやリンス等を、不当な流通経路を通して、一般のドラッグストアーで安い価格で販売する、いわゆる横流しがある。
【０００４】
また、パソコンなど長期間に渡って使用するものに対し、ラベルに固有のナンバーを印字して貼るか、製造番号など印刷されたラベルを貼る場合がある。
【特許文献１】実用新案登録第３００３５９７号公報
【発明の開示】
【発明が解決しようとする課題】
【０００５】
上記横流し業者に対しては、商品に固有のナンバーなどを容器やラベルに印字して商品を管理し、流通経路を突き止めている。しかし、印字されたナンバーを消すなどして、管理ナンバーを判らなくしてしまうことがある。
【０００６】
また、パソコンなどに貼るラベルは、長期に渡ってその商品を使用するため、印字や印刷が剥がれ落ちて、読めなくなる事がある。上に透明なフィルムを貼りあわせる場合もあるが、コスト高になる。
【０００７】
この発明は、上記従来の問題点に鑑みてなされたもので、簡単な構造で横流し経路を突き止めることができ、あるいはラベルの表面を保護することができ、しかも安価な多層ラベルを提供する。
【課題を解決するための手段】
【０００８】
表面に図柄が描かれた印刷層を有し裏面に粘着剤が設けられたラベル本体と、前記ラベル本体の裏面に積層された剥離シートと、前記剥離シートを貫通した剥離シート切断線で区切られ前記ラベル本体より小さい小剥離シート部と、小剥離シート部には印刷層および固有のナンバー等の印字部が設けられていることを特徴とした多層ラベル。
【０００９】
前記ラベル本体表面は印刷層が設けられるか、または透視不可能な素材でできており、前記ラベル本体表面からは前記小剥離シート部および前記小剥離シート部に施された印刷層およびナンバリング等の印字部が視認不可能である。
【００１０】
前記ラベル本体表面は透視可能な素材に印刷層を設け透視不可能にするか、もしくは印刷層が設けられておらず、前記小剥離シート部に施された印刷層あるいはナンバリング等の印字部が視認可能である。
【発明の効果】
【００１１】
本発明の多層ラベルは、簡単な構造で多層ラベルを形成することができ、コストを安価に抑えることができる。そして、小剥離シート部に施された印刷層やナンバリング等の印字部が、ラベル表面からは視認不可能である。このため横流し業者等に、商品の管理ナンバーなどの記載を判らなくし、ナンバーを故意に消されることもない。また、小剥離シート部に印字するので、ラベル本体の裏面、つまり粘着面に直接印字する場合と比べ、剥離シートを一度剥がす必要がなく、特殊な装置等も必要でなくなる。
【００１２】
また、ラベル本体が透視可能な素材でできており、小剥離シートに施された印刷層やナンバリング等の印字部が、ラベル本体の表面から視認可能な場合は、ラベル本体が上記印刷層や印字部を保護する役割をし、印刷層や印字部を擦れ等から保護することができる。
【発明を実施するための最良の形態】
【００１３】
以下、この発明の実施形態について図面に基づいて説明する。図１から図６は、この発明の一実施形態を示すもので、この実施形態の多層ラベル１０はラベル本体１２から成る。ラベル本体１２は、紙や合成樹脂で作られたシート状のラベル基材を一方向に長い矩形に打ち抜いて形成されている。ラベル本体１２の表面１２ａには図示しない各種の印刷層が形成される。ラベル本体１２の裏面１２ｂには、粘着剤２２が設けられ、裏面１２ｂには粘着剤２２を介して剥離シート２４が貼り付けられている。剥離シート２４は、紙または樹脂フィルム等で作られた剥離シート基材表面２４ａに、剥離剤が塗布または印刷されたものである。剥離シート２４は、例えば、ラベル本体よりも大きく形成され、一枚の剥離シート２４の長手方向に等間隔にラベル本体が複数枚貼り付けられている。
【００１４】
剥離シート２４は、ラベル本体１２に対向する部分に、剥離シート２４を打抜いた剥離シート切断線２６が形成されている。剥離シート２４の、剥離シート切断線２６の内側の粘着剤２２側に貼付される面は、小剥離シート２８となる。小剥離シート２８の裏面２８ｂには図示しない各種の印刷層またはナンバリング等の印字部３０が設けられている。
【００１５】
次に、多層ラベル１０の製造について説明する。まず、あらかじめ裏面に粘着層が設けられたラベル基材と、剥離層が設けられた透明な剥離シートの、粘着層面と剥離層面を貼り合わせた、シート状の原反を用意する。次にラベル基材の表面１２ａに、ラベル印刷層１４を所定間隔で同じ位置に印刷する。次に剥離シート２４の裏面１２ｂに印刷層３０を施す。ここで、シート状の原反は、ラベル基材の表面１２ａに印刷をしながら、ラベル基材の裏面１２ｂに粘着剤を塗布し、剥離シートに貼着してもよい。また、剥離シート２４は、表面２４ａの所定の位置にあらかじめ小剥離シート印刷層を印刷し、その上に剥離処理を施しておいてもよい。剥離シート２４が透明な場合は、剥離シート２４の裏面２４ｂに小剥離シート印刷層を設け、剥離シート表面２４ａは剥離処理のみ行ってもよい。
【００１６】
次に、ラベル本体１２のラベル基材と剥離シート２４の二層構造となった状態で、ラベル基材側から、ラベル印刷層１４を囲んでラベル基材を打ち抜いてラベル本体１２の外郭線を形成する。さらに、剥離シート２４側から、剥離シート切断線２６を打ち抜いて、小剥離シート部２８を形成する。そして、ラベル本体１２の周囲にある、ラベル基材の不要な部分を剥離シート２４から剥がして取り除く。
【００１７】
またこの時点で、小剥離シート部２８の裏面２８ｂには、印刷層を施さない替わりに、ナンバリング等の印字部を設けてもよい。
【実施例１】
【００１８】
次に、この多層ラベル１０の使用方法について説明する。まず多層ラベル１０は、ラベル本体１２が剥離シート２４に取り付けられた状態で製造され、小剥離シート部２８の裏面２８ｂには、ナンバリング等の印字を施すか、もしくは印刷層を設け出荷される。そして商品の製造工場で、ラベラー等により、図３から図５に示すように剥離シート部２４を曲げて、多層ラベル１０を剥離シート２４から剥がす。このとき、剥離シート２４は、剥離シート切断線２６で分断されて、剥離シート２６の内側の小剥離シート部２８が、ラベル本体１２の裏面１２ｂに残る。この状態で、図６に示すようにラベル本体を商品３２の容器に貼着する。そして商品３２は、病院や美容院、各種販売店などに出荷される。なお、使い終わった剥離シート２４は破棄される。
【００１９】
例えば、美容院等でのみ扱っている、シャンプーやリンス等を、不当な流通経路を通して、一般のドラッグストアーで安い価格で販売する場合がある。この時、小剥離シート部２８に印字されたナンバーを調べれば、流通経路を突き止めることができる。この時、ラベル本体１２を不透明な透視不可能な素材や、印刷を施して透視不可能にすると、ラベル本体１２の表面からは、小剥離シート部２８や印字された文字や数字を見ることができないため、流通業者は気づかずに横流しをする。
【００２０】
あるいは、パソコンなどに固有のナンバーをラベルに印字して貼る場合は、ラベル本体１２の素材を視認可能な透明なものにし、表面の印刷なども、小剥離シート部２８に施された、印字や印刷層を視認可能なものにする。このため、固有のナンバーはラベル本体１２によって保護され、擦れ等で印字等が消えたりしなくなる。
【産業上の利用可能性】
【００２１】
なお、この発明は上記実施形態に限定されるものではなく、印字を蛍光透明インキで印刷し、表面から特殊な装置を使用しないと透視不可能なものにし、偽造防止ラベルとして使用することもできる。
【図面の簡単な説明】
【００２２】
【図１】この発明の一実施形態の多層ラベルの斜視図である。
【図２】この実施形態の多層ラベルの分解斜視図である。
【図３】この実施形態の多層ラベルの使用方法を示す斜視図である。（実施例１）
【図４】この実施形態の多層ラベルの使用方法を示す縦断面図である。（実施例１）
【図５】この実施形態の多層ラベルの使用方法を示す背面図である。（実施例１）
【図６】この実施形態の多層ラベルの使用方法を示す正面図（ａ）と縦断面図（ｂ）である。（実施例１）
【符号の説明】
【００２３】
１０  多層ラベル
１２  ラベル本体
１２ａ  ラベル本体表面
１２ｂ  ラベル本体裏面
１４  ラベル本体印刷層
２２  粘着剤
２４  剥離シート
２４ａ  剥離シート表面
２４ｂ  剥離シート裏面
２６  剥離シート切断線
２８  小剥離シート部
２８ｂ  小剥離シート裏面
３０  小剥離シート印刷層
３２  商品
【図１】
2006251292.tif 000003
【図２】
2006251292.tif 000004
【図３】
2006251292.tif 000005
【図４】
2006251292.tif 000006
【図５】
2006251292.tif 000007
【図６】
2006251292.tif 000008